(57)【要約】      （修正有）【課題】使用者にとって使用利便性及び信頼性が高くなり、製造者にとって構造が簡単であって製造が容易である前開き型ベルトバックルを提供する。【解決手段】前開き型ベルトバックルに関するものであり、雌バックル１０及び雄バックル２０を備える。雌バックルはフック部１２及び板体１１を有し、雄バックルは係合穴２１を有する。フック部は、雄バックルと雌バックルとを固定するように、係合穴に係合するためのものである。構造が簡単であるバックルは、使用者にとって使用利便性が高くて信頼性がよく、使用者にとって生産コストが低くて済むという利点を有する。【選択図】図１
0003191832.tif 000002
【実用新案登録請求の範囲】
【請求項１】
フック部及び板体を有する雌バックルと、
雌バックルに係合可能であり、係合穴が穿設された雄バックルと
を備え、
該フック部は、該板体の一方側端部を湾曲させることによって構成され、該フック部の内側面と該板体の内側面との間に隙間が形成され、
該係合穴には該フック部が挿設され、該雄バックルの端縁部は該雌バックルの隙間内に係合される、前開き型ベルトバックル。
【請求項２】
該雌バックルの該板体における該隙間に面する内側面には、突起部が形成されている、請求項１に記載の前開き型ベルトバックル。
【請求項３】
該雌バックルにさらに少なくとも１つの連結ベルト穴が穿設される、請求項１に記載の前開き型ベルトバックル。
【請求項４】
該雄バックルにさらに少なくとも１つの連結ベルト穴が穿設される、請求項１に記載の前開き型ベルトバックル。
【考案の詳細な説明】
【技術分野】
【０００１】
本考案は、前開き型ベルトバックルに関し、特に連結ベルトの固定に用いられる二部品型バックルに関する。
【背景技術】
【０００２】
スーツケースとヘルメット等の装置の多くにおいて使用されるバックルは、横開き型差込みバックルである。図５及び図６に示すように、該横開き型差込みバックルは、左右両側にある押圧可能構造５１を有する雄バックル５０と、中空であって２つの側開口６１を有する雌バックル６０とを備える。
使用時には、まず該押圧可能構造５１を押圧して該押圧可能構造５１の幅を小さくした後、該雌バックル６０の該２つの側開口６１に合わせて該押圧可能構造５１を該雌バックル６０内に挿入し、そして該押圧可能構造５１を放して雄バックル５０の両側にある該押圧可能構造５１を該雌バックル６０の２つの側開口６１から突出させることで、該雄バックル５０と該雌バックル６０とを係合させる。
一方、外す際には、該雄バックル５０の両側にある該押圧可能構造５１を押して該雄バックル５０と該雌バックル６０とを互いに対して反対方向に離間させればよい。
【考案の概要】
【考案が解決しようとする課題】
【０００３】
前記横開き型差込みバックルの該雄バックルと該雌バックルとを係合させるためには、該雄バックルの該押圧可能構造と該雌バックルの該２つの側開口とを合わせるようにしなければならない。手足が不自由な老人や児童にとって、該押圧可能構造と該２つの側開口とを合わせることができない場合があるため、使用上不便であるという問題があった。
また、可撓性を有する構造とする必要があるため、該雄バックルの該押圧可能構造は細長く構成されており、構造上の強度が低下して折れやすく、折れたのは一方の押圧可能構造のみであったとしても、該横開き型差込みバックルの機能を失っていしまう問題があった。更に、該横開き型差込みバックルの構造が複雑であり、複雑な金型を製作する必要があるため、製造者にとって製造コストが高いといった問題もあった。
【０００４】
本考案は上記問題を鑑みてなされたものであり、その目的は、従来技術の装置を改良し、使用者にとって使用利便性及び信頼性が高く、製造者にとって構造が簡単であって製造が容易である前開き型ベルトバックルを提供することにある。
【課題を解決するための手段】
【０００５】
上記目的を達成するために、本考案において用いられた技術的手段は、フック部及び板体を有する雌バックルと、雌バックルに係合可能であり、係合穴が穿設された雄バックルとを備え、該フック部が、該板体の一方側端部を湾曲させることによって構成され、該フック部の内側面と該板体の内側面との間に隙間が形成され、該係合穴には該フック部が挿設され、該雄バックルの端縁部が該雌バックルの隙間内に係合される、前開き型ベルトバックルを提供することである。
【０００６】
本考案によれば、該雄バックル及び該雌バックルは、簡単であって分厚く短い構造を有することから、構造上の強度が高くなる。該雄バックルと該雌バックルとを係合させる手順が簡単であり、使用者にとって使用利便性が高く、製品の信頼性、耐久性にも優れている。製造者にとって、簡単な構造を有することによって、製造コストが下がり製造効率が向上する。
【０００７】
前記前開き型ベルトバックルにおいて、該雌バックルの該板体における該隙間に面する内側面には、突起部が形成されている。該突起部は、該雌バックルに係合された該雄バックルが該雌バックルから離脱することを防止することができる。
【０００８】
前記前開き型ベルトバックルにおいて、該雌バックルにさらに少なくとも１つの連結ベルト穴が穿設される。連結ベルト穴のそれぞれは、連結ベルトを挿設させて引き締めて固定するためのものである。
【０００９】
前記前開き型ベルトバックルにおいて、該雄バックルにさらに少なくとも１つの連結ベルト穴が穿設される。連結ベルト穴のそれぞれは、連結ベルトを挿設させて引き締めて固定するためのものである。
【図面の簡単な説明】
【００１０】
【図１】本考案に係る前開き型ベルトバックルの分解状態を示す斜視図である。
【図２】本考案に係る前開き型ベルトバックルの係合状態を示す斜視図である。
【図３】本考案に係る前開き型ベルトバックルの係合状態を示す断面図である。
【図４】本考案に係る前開き型ベルトバックルの使用例を示す斜視図である。
【図５】従来技術に係る横開き型差込みバックルの分解状態を示す斜視図である。
【図６】従来技術に係る横開き型差込みバックルの係合状態を示す斜視図である。
【考案を実施するための形態】
【００１１】
以下、図面及び本考案の好ましい実施形態を参照しながら、本考案の目的を達成するために用いられた技術的手段を更に説明する。
【００１２】
図１に示すように、本考案に係る前開き型ベルトバックルは、雌バックル１０及び雄バックル２０を備える。
【００１３】
該雌バックル１０は、板体１１及びフック部１２を有する。該フック部１２は、該板体１１の一方端部を湾曲させることによって構成され、該フック部１２の内側面と該板体１１の内側面との間には隙間が形成されている。該板体１１の内側面には、該隙間内に伸びる突起部１３が形成され、該板体１１における該フック部１２の反対側端部には、連結ベルト穴１４が穿設されている。
【００１４】
該雌バックル１０は、該雄バックル２０に係合することができる。該雄バックル２０には、係合穴２１と、２つの連結ベルト穴２２とが穿設されている。該係合穴２１は、雄バックル２０の一方側端部に隣接し、該２つの連結ベルト穴２２は、雄バックル２０の他方端部に連接している。
【００１５】
図２ないし図４に示すように、本考案に係る該前開き型ベルトバックルは、スーツケース３０内に取り付けられ、２本の連結ベルト４０を引き締めて固定することに用いられる。本考案の使用時には、該雌バックル１０のフック部１２を該雄バックル２０の係合穴２１に挿設し、該雄バックル２０の端縁部が該突起部１３を越えるように該雄バックル２０の端縁部を該雌バックル１０の隙間内に係合させる。該雄バックル２０の端縁部の半分以上の表面が該フック部１２及び該突起部１３によって覆われるため、該フック部１２は該係合穴２１から離脱し難くなり、このようにして該雄バックル２０と雌バックル１０とが係合される。
【００１６】
本考案を前記使用例のように使用する際、該雌バックル１０及び該雄バックル２０が簡単であって分厚く短い構造を有しているので、使用者にとって、係合させるための手順が簡単であって使用利便性が高い。また、分厚く短い構造を有することによって、構造全体の強度が高く、耐久性に優れている。製造者にとって、複雑な金型を開発する必要がないため、製造コストが低くて済む。
【００１７】
以上は本考案の好ましい実施形態の説明に過ぎず、本考案を如何なる形にも限定するものではない。通常の知識を有する当該分野の者が、本考案の技術要旨を逸脱しない範囲で、以上に開示された技術内容に基づいてなされた同等効果を有する如何なる簡単な修正或いは変更も、いずれも本考案の保護範囲内に含まれるものとする。
【符号の説明】
【００１８】
１０、６０  雌バックル
１１        板体
１２        フック部
１３        突起部
１４、２２  連結ベルト穴
２０、５０  雄バックル
２１        係合穴
３０        スーツケース
４０        連結ベルト
５１        押圧可能構造
６１        側方開口
【図１】
0003191832.tif 000003
【図２】
0003191832.tif 000004
【図３】
0003191832.tif 000005
【図４】
0003191832.tif 000006
【図５】
0003191832.tif 000007
【図６】
0003191832.tif 000008